(57)【要約】【課題】使用者が容易に所望の位置に設置できる忍び返し片を提供する。【解決手段】パイプ取付バンド・電柱取付バンド・電柱・壁面・フェンス・塀・門扉・門塀等、所望の位置に取付可能な忍び返し片Ａであって、前記所望の位置に取付可能な取付用基板１と、前記取付用基板１に突設された侵入防止用突片２と、より構成してなる。【選択図】図１
2008163649.tif 000002
【特許請求の範囲】
【請求項１】
パイプ取付バンド・電柱取付バンド・電柱・壁面・フェンス・塀・門扉・門塀等、所望の位置に取付可能な忍び返し片であって、
前記所望の位置に取付可能な取付用基板と、
前記取付用基板に突設された侵入防止用突片と、より構成してなる忍び返し片。
【請求項２】
請求項１において、
侵入防止用突片は、放射状に形成された尖鋭部を設けてなる忍び返し片。
【請求項３】
請求項１又は２の何れかにおいて、
侵入防止用突片は、上方向、下方向、斜め方向が組み合わされた方向に向けて複数形成してなる忍び返し片。
【請求項４】
請求項１〜３の何れかにおいて、
侵入防止用突片は、取付用基板に複数形成されてなる忍び返し片。
【発明の詳細な説明】
【技術分野】
【０００１】
本発明は、パイプ取付バンド・電柱取付バンド・電柱・壁面・フェンス・塀・門扉・門塀等、所望の位置に容易に取付可能な忍び返し片に関する。
【背景技術】
【０００２】
従来、フェンス、塀、門扉、門塀等の包囲部材の上端に、この包囲部材を侵入者等が乗り越えることを防止するために設置する忍び返し具が知られている（例えば、特許文献１参照。）。
【０００３】
この忍び返し具には、様々な構造のものがあるが、何れも、前記包囲部材の上端に固定する基台部と、この基台部に所定間隔をあけて固定された複数の忍び返し片と、より構成してなり、前記基台部を包囲部材に固定して、侵入者等が前記包囲部材を乗り越えることを防止するようにしたものである。
【特許文献１】特開２００６−２０７２８５
【発明の開示】
【発明が解決しようとする課題】
【０００４】
このように、従来の忍び返し具は、前記基台部をフェンス、塀、門扉、門塀等の包囲部材の上端に固定するだけで、複数の忍び返し片を設置できる点で優れている。
【０００５】
しかしながら、例えば、竪樋等を壁面に支持するためのパイプ取付バンドや、電柱に使用される電柱取付バンド、或いは電柱自体、又、壁面・フェンス・塀・門扉・門塀等の形状等、前記忍び返し具の取付場所によっては、前記基台部を容易に設置できないという問題がある。
【０００６】
また、近年、侵入者の侵入経路も複雑化しており、例えば、女性等の使用者が侵入者の防犯を行いたい場所があっても、従来の忍び返し具は、設置場所が特定されてしまううえ、一般に専門業者によって設置されることが多いため、容易に設置できないという問題もあった。
【０００７】
そこで、本出願人は、鋭意研究した結果、侵入者等の侵入防止という機能から考えれば、前記忍び返し片が所望の位置に設置されていれば良いことに着目し、従来の忍び返し具のような基台部を必要とせず、忍び返し片を直接所望の位置に容易に設置することを新規に創作したものである。
【０００８】
本発明は、かかる課題を解決することを目的とするもので、使用者が容易に所望の位置に設置できる忍び返し片を提供する。
【課題を解決するための手段】
【０００９】
請求項１に係る忍び返し片は、パイプ取付バンド・電柱取付バンド・電柱・壁面・フェンス・塀・門扉・門塀等、所望の位置に取付可能な忍び返し片であって、前記所望の位置に取付可能な取付用基板と、前記取付用基板に突設された侵入防止用突片と、より構成してなる。
【００１０】
請求項２に係る忍び返し片は、請求項１において、侵入防止用突片は、放射状に形成された尖鋭部を設けてなる。
【００１１】
請求項３に係る忍び返し片は、請求項１又は２の何れかにおいて、侵入防止用突片は、上方向、下方向、斜め方向が組み合わされた方向に向けて複数形成してなる。
【００１２】
請求項４に係る忍び返し片は、請求項１〜３の何れかにおいて、侵入防止用突片は、取付用基板に複数形成されてなる。
【発明の効果】
【００１３】
本発明によれば、次のような効果がある。
【００１４】
請求項１に係る忍び返し片によれば、パイプ取付バンド・電柱取付バンド・電柱・壁面・フェンス・塀・門扉・門塀等、所望の位置に取付用基板を固定するだけで、この取付用基板に突設された侵入防止用突片を、所望の位置に容易に設置できる。
【００１５】
請求項２に係る忍び返し片によれば、侵入防止用突片は、放射状に形成された尖鋭部を設けてなるので、侵入者に対する威嚇効果を高めて防犯することができる。
【００１６】
請求項３に係る忍び返し片によれば、侵入防止用突片は、上方向、下方向、斜め方向が組み合わされた方向に向けて複数形成してなるので、あらゆる方向からの侵入者に対する威嚇効果を高めて確実に防犯することができる。
【００１７】
請求項４に係る忍び返し片によれば、侵入防止用突片は、取付用基板に複数形成されてなるので、侵入防止用突片の強度を高めることができるうえ、侵入者に対する威嚇効果も一層高めることができる。
【発明を実施するための最良の形態】
【００１８】
以下、本発明に係る忍び返し片を図面とともに説明する。
【実施例１】
【００１９】
図１は、本発明に係る忍び返し片Ａの一実施例を示した斜視図であり、図２（ａ）〜（ｃ）は、図１で示された忍び返し片Ａの正面図、平面図、側面図、図３は、図１で示した忍び返し片Ａの使用状態の一例を示した斜視図、図４は、図１〜３で示した忍び返し片Ａの使用状態を示す全体斜視図である。
【００２０】
この忍び返し片Ａは、パイプ取付バンド・電柱取付バンド・電柱・壁面・フェンス・塀・門扉・門塀等、所望の位置に取付可能な取付用基板１と、この取付用基板１に突設された侵入防止用突片２と、より構成してなる。
【００２１】
取付用基板１及び侵入防止用突片２は、金属板を折り曲げて一体形成してなり、取付用基板１の適所には、ネジ、釘等を挿通する取付穴１１を形成している。
【００２２】
また、取付用基板１の取付面１２に粘着テープを貼着して、取付用基板１を所望の場所に取付けることもできる。
【００２３】
侵入防止用突片２は、放射状に形成すると共に、先端側に向けて尖った尖鋭部２１を設けてなる。
【００２４】
また、侵入防止用突片２の材質は限定されるものでなく、例えば、板材であって尖鋭部２１に威嚇効果があれば良く、金属板が好ましい。
【００２５】
もっとも、侵入防止用突片２の形状は、本実施例に限定されず、板材一体構造で侵入者の侵入を防止できる形状であれば良い。
【００２６】
また、侵入防止用突片２は、上方向、下方向、斜め方向が組み合わされた方向に向けて複数形成してなり、あらゆる方向からの侵入者に対する威嚇効果を高めて確実に防犯できる。
【００２７】
この侵入防止用突片２は、５方向以上に向けて形成することが望ましく、５方向以上であれば手足及び小動物等が必ず侵入防止用突片２の何れかに当り、侵入者に対する威嚇効果を高めることができる。
【００２８】
なお、本実施例では、隣設する尖鋭部２１同士の角度を３５°に設定することで、５方向に向けた侵入防止用突片２を形成して、侵入者に対する威嚇効果を高めている。
【００２９】
また、侵入防止用突片２の先鋭部２１の先端角度は、３０°以下に形成することが望ましく、この先端角度によって、侵入者に対する威嚇効果を一層高めることができる。
【００３０】
取付用基板１及び侵入防止用突片２の適所には、片面に向けて凹ませた（又は突出させた）補強用リブ３を形成するのが好ましく、このような補強用リブ３を形成すれば、取付用基板１及び侵入防止用突片２の変形を防止でき、忍び返し片Ａの全体強度を高めることができる。
【００３１】
このように構成した本発明に係る忍び返し片Ａは、例えば、以下の要領で使用する。
【００３２】
図３では、本発明に係る忍び返し片Ａを、竪樋等を壁面に支持するためのパイプ取付バンドＢに取付ける場合を例示して説明するが、取付け場所は、使用者の所望する場所によって様々である。
【００３３】
すなわち、本発明に係る忍び返し片Ａは、図３に示すように、竪樋等を支持しているパイプ取付バンドＢの環状部Ｂの外面適所に、侵入防止用突片２が突出するようにして、取付用基板１をネジ、粘着テープ等で固定するだけで良く、取付用基板１を固定するだけで、忍び返し片Ａを、所望の位置に容易に設置できる。
【００３４】
このように取付けた忍び返し片Ａは、図４で示すように、パイプ取付バンドＢや、電柱Ｃ、窓枠Ｄ等々、使用者が所望する様々な場所に容易に設置することができ、侵入者に対して威嚇効果を高めて、確実に防犯できる。
【図面の簡単な説明】
【００３５】
【図１】本発明に係る忍び返し片Ａの一実施例を示した斜視図である。
【図２】（ａ）〜（ｃ）は、図１で示された忍び返し片Ａの正面図、平面図、側面図である。
【図３】図１で示した忍び返し片Ａの使用状態の一例を示した斜視図である。
【図４】図１〜３で示した忍び返し片Ａの使用状態を示す全体斜視図である。
【符号の説明】
【００３６】
Ａ    忍び返し片
１    取付用基板
２    侵入防止用突片
２１  尖鋭部
【図１】
2008163649.tif 000003
【図２】
2008163649.tif 000004
【図３】
2008163649.tif 000005
【図４】
2008163649.tif 000006